(57)【要約】【課題】安価なシステムの構築が可能になるとともに、任意の場所で端末装置の操作が行え、さらには、紛失や盗難に伴う端末装置の不正使用を防止する。【解決手段】遊技場の複数箇所に設置された所定の遊技装置を管理する遊技場管理システムにおいて、各遊技装置と通信可能に接続され、各遊技装置を制御するセキュリティ管理装置７と、店員に携行されるとともに、セキュリティ管理装置７と無線通信可能に接続して、各遊技装置に対して所定の動作を要求する端末装置１０と、を備え、端末装置１０は、各遊技装置を特定可能な装置ＩＤと当該端末装置を特定可能な端末ＩＤをセキュリティ管理装置７に送信するにあたり、端末ＩＤの全部又は一部を外部から入力し、セキュリティ管理装置７は、予め記憶された端末ＩＤと、端末装置１０から送信される端末ＩＤを照合して一致したときに、装置ＩＤで特定される遊技装置を制御する。【選択図】図１
2010233876.tif 000002
【特許請求の範囲】
【請求項１】
遊技場の複数箇所に設置された所定の遊技装置を管理する遊技場管理システムにおいて、
各遊技装置と通信可能に接続され、各遊技装置を制御する管理装置と、
店員に携行されるとともに、前記管理装置と無線通信可能に接続して、前記各遊技装置に対して所定の動作を要求する端末装置と、を備え、
前記端末装置は、各遊技装置を特定可能な装置ＩＤと当該端末装置を特定可能な端末ＩＤを管理装置に送信するＩＤ送信手段と、
前記端末ＩＤの全部又は一部を外部から入力する端末ＩＤ入力手段と、を有し、
前記管理装置は、予め記憶された端末ＩＤと、前記端末装置から送信される端末ＩＤを照合して一致したときに、前記装置ＩＤで特定される遊技装置を制御するＩＤ照合手段を有することを特徴とする遊技場管理システム。
【請求項２】
店員に携行されるとともに、前記端末装置と通信可能に接続され、予め記憶された前記端末ＩＤの全部又は一部を前記端末ＩＤ入力手段に入力する端末ＩＤ送信装置を備える請求項１記載の遊技場管理システム。
【請求項３】
前記端末ＩＤ送信装置は、前記予め記憶された前記端末ＩＤの全部又は一部を、人体を介して、前記端末ＩＤ入力手段に入力する人体通信手段を備える請求項２記載の遊技場管理システム。
【請求項４】
前記端末ＩＤ入力手段は、当該端末装置が揺動操作されたことを検出する揺動検出部と、検出された特定の揺動操作を前記端末ＩＤに変換するＩＤ復号部とを備える請求項１〜３のいずれか一項に記載の遊技場管理システム。
【請求項５】
前記ＩＤ復号部は、検出された特定の揺動操作を前記装置ＩＤに変換する請求項４記載の遊技場管理システム。
【請求項６】
前記各遊技装置に、前記装置ＩＤを付与し、
前記端末装置は、前記各遊技装置から前記装置ＩＤを読取る読取手段を備える請求項１〜５のいずれか一項に記載の遊技場管理システム。
【請求項７】
前記端末装置は、所定の固有ＩＤを記憶する固有ＩＤ記憶手段を備え、
前記ＩＤ送信手段は、前記固有ＩＤを前記端末ＩＤに含めて送信する請求項１〜６のいずれか一項に記載の遊技場管理システム。
【請求項８】
前記端末装置と前記管理装置は、所定の暗号情報に基づいて、送受する信号を認証する信号認証手段を備える請求項１〜７のいずれか一項に記載の遊技場管理システム。
【請求項９】
前記管理装置は、前記各遊技装置に所定の動作を要求する要求信号が前記端末装置から送信される毎に、前記暗号情報を新たに生成する暗号情報生成手段を備える請求項１〜８のいずれか一項に記載の遊技場管理システム。
【請求項１０】
前記管理装置は、前記装置ＩＤで特定される遊技装置が、遊技媒体貸出機に投入された現金を収納する金庫である場合に、前記金庫の扉を開放させる請求項１〜９のいずれか一項に記載の遊技場管理システム。
【請求項１１】
前記管理装置は、前記装置ＩＤで特定される遊技装置が、遊技媒体を用いて遊技する遊技台と、遊技で獲得した遊技媒体を計数する計数機との組み合わせである場合に、前記計数機に、ホールコンピュータが管理する前記遊技台の出玉情報を表示させる請求項１〜１０のいずれか一項に記載の遊技場管理システム。
【発明の詳細な説明】
【技術分野】
【０００１】
本発明は、遊技場の複数箇所に設置された遊技台、遊技媒体貸出機、呼出ランプ、島金庫、計数機などの遊技装置を管理する遊技場管理システムに関し、特に、これらの遊技装置を店員が携行する端末装置で遠隔制御する遊技場管理システムに関する。
【背景技術】
【０００２】
遊技場の複数箇所に設置された遊技台、遊技媒体貸出機、呼出ランプ、島金庫、計数機などの遊技装置を、店員に携行されるリモコン（赤外線通信方式の端末装置）の操作に基づいて動作させるリモコンシステムが普及している。
【０００３】
例えば、特許文献１には、一つのリモコンに、遊技台の開閉管理機能と呼出ランプの点灯管理機能を持たせるリモコンシステムが示されている。このシステムでは、リモコンを遊技台のリモコン受信部に向け、解錠信号と識別信号を送信すると、遊技台の枠が解錠され、また、リモコンを呼出ランプのリモコン受信部に向け、リセット信号と識別信号を送信すると、呼出ランプが消灯されるようになっている。
【０００４】
また、特許文献２には、リモコンに出玉照合機能を持たせるリモコンシステムが示されている。このシステムでは、所定の遊技台で獲得された遊技媒体を計数機で計数する際に、リモコンに前記遊技台の台番号を入力して計数機のリモコン受信部へ送信すると、ホールコンピュータが管理している前記遊技台の出玉値と計数機の計数値との照合が行われ、両値の差が所定の許容範囲を超える場合に、不正であると判断して何らかの報知を行うようになっている。
【先行技術文献】
【特許文献】
【０００５】
【特許文献１】特開２００６−１４１８７９号公報
【特許文献２】特開２００６−９５０４４号公報
【発明の概要】
【発明が解決しようとする課題】
【０００６】
しかしながら、従来のリモコンシステムでは、管理対象となるすべての遊技装置にリモコン受信部を備えるとともに、動作を要求する遊技装置の近傍でリモコン操作を行う必要があるので、システムが高価になるだけでなく、リモコン操作によって遊技客に不快感を与える可能性があった。例えば、特許文献２のリモコンシステムでは、所定の遊技台で獲得された遊技媒体を計数機で計数する際に、出玉照合を行うためのリモコン操作が、遊技客の目の前で行われることになるので、通常の遊技客にとっては、不正を疑われているように思われ、リモコン操作が不愉快に感じられるおそれがあった。
【０００７】
また、従来のリモコンシステムでは、リモコンの複製、紛失、盗難などに対する対策が不十分であり、リモコンが第三者に不正使用される可能性があった。例えば、特許文献１に示されるリモコンは、店員以外の第三者が操作しても、遊技台の枠を解錠することができるので、セキュリティ上の抜け穴となるおそれがあった。
【０００８】
本発明は、上記の事情にかんがみなされたものであり、安価なシステムの構築が可能になるだけでなく、任意の場所で端末装置の操作が行えるようになり、さらには、複製、紛失、盗難などに伴う端末装置の不正使用を確実に防止することができる遊技場管理システムの提供を目的とする。
【課題を解決するための手段】
【０００９】
上記目的を達成するため本発明の遊技場管理システムは、遊技場の複数箇所に設置された所定の遊技装置を管理する遊技場管理システムにおいて、各遊技装置と通信可能に接続され、各遊技装置を制御する管理装置と、店員に携行されるとともに、前記管理装置と無線通信可能に接続して、前記各遊技装置に対して所定の動作を要求する端末装置と、を備え、前記端末装置は、各遊技装置を特定可能な装置ＩＤと当該端末装置を特定可能な端末ＩＤを管理装置に送信するＩＤ送信手段と、前記端末ＩＤの全部又は一部を外部から入力する端末ＩＤ入力手段と、を有し、前記管理装置は、予め記憶された端末ＩＤと、前記端末装置から送信される端末ＩＤを照合して一致したときに、前記装置ＩＤで特定される遊技装置を制御するＩＤ照合手段を有する構成としてある。
【発明の効果】
【００１０】
本発明によれば、端末装置は、無線通信可能に接続される管理装置を介して、各遊技装置に所定の動作を要求するので、各遊技装置にリモコン受信部を設ける必要がなくなり、その結果、安価なシステムの構築が可能になるだけでなく、任意の場所で端末装置の操作が行えるようになる。
また、管理装置は、予め記憶された端末ＩＤと、端末装置から送信される端末ＩＤを照合して一致したときに、装置ＩＤで特定される遊技装置を制御するのであるが、端末装置においては、端末ＩＤの全部又は一部が外部から入力されるようになっているので、端末ＩＤの全部又は一部を知らない第三者の操作は無効とすることができ、その結果、複製、紛失、盗難などに伴う端末装置の不正使用を確実に防止できる。
【図面の簡単な説明】
【００１１】
【図１】本発明の一実施形態に係る遊技場管理システムの構成を示すブロック図である。
【図２】本発明の一実施形態に係る端末装置の操作状態を示す説明図である。
【図３】本発明の一実施形態に係る端末装置の構成を示すブロック図である。
【図４】本発明の一実施形態に係る端末装置の揺動操作に対する変換例を示す説明図である。
【図５】本発明の一実施形態に係る端末装置の端末ＩＤの構成例を示す説明図である。
【図６】本発明の一実施形態に係る端末装置から送信される動作要求信号の構成例を示す説明図である。
【図７】本発明の一実施形態に係る遊技場管理システムの処理手順を示すフローチャートである。
【図８】本発明の一実施形態に係る遊技場管理システムの処理手順を示す図７に続くフローチャートである。
【発明を実施するための形態】
【００１２】
以下、本発明に係る遊技場管理システムの実施形態について、図面を参照して説明する。
図１は、遊技場管理システムの構成を示すブロック図である。
これらの図に示すように、遊技場管理システムは、遊技媒体を用いて遊技するパチンコ機、スロットマシンなどの遊技台１と、遊技台１毎に設置され、店員の呼び出しを行う呼出ランプ２と、遊技台１毎に設置され、遊技媒体の貸し出しを行う遊技媒体貸出機３と、島単位で設置され、遊技媒体貸出機３に投入された現金を収納する島金庫４と、遊技で獲得した遊技媒体を計数する計数機５と、遊技台１の遊技情報を管理するホールコンピュータ６と、各遊技装置の扉開閉管理や出玉照合を行うセキュリティ管理装置（管理装置）７と、これらを通信可能に接続する有線ＬＡＮなどのネットワーク８と、無線ターミナル９及びネットワーク８を介して、セキュリティ管理装置７と無線通信可能に接続される端末装置１０とを備えて構成されている。
【００１３】
遊技台１には、外部端子板が設けられており、ここから遊技状態に係る信号が外部出力されるようになっている。例えば、パチンコ機からなる遊技台１は、外部端子板から大当り信号、確変信号、スタート信号、セーフ信号（入賞信号）、アウト信号などを出力し、スロットマシンからなる遊技台１の場合は、外部端子板から大当り信号、メダル投入信号、メダル払出信号などを出力するように構成されている。そして、これらの信号は、ホールコンピュータ６において集計される。
遊技台１には、扉（パチンコ機の金枠や木枠、スロットマシンの前扉などを含む）が設けられており、この扉を開放することにより、台内部のメンテナンスが可能となる。この扉の開閉は、セキュリティ管理装置７が管理しており、セキュリティ管理装置７から所定の解錠信号を受信した場合に、扉の施錠装置が解錠され、扉の開放操作が許可される。
【００１４】
呼出ランプ２は、通常、各遊技台１の上方近傍に設置されており、所定の呼び出し操作に応じてランプを点灯又は点滅させる。このランプの消灯は、セキュリティ管理装置７が管理しており、セキュリティ管理装置７から所定の消灯信号を受信した場合に、ランプが消灯される。
なお、呼出ランプ２には、対応する遊技台１の大当り回数、スタート回数などを表示する遊技履歴表示機能が備えられている。
【００１５】
遊技媒体貸出機３は、現金やプリペイドカードの投入に応じて、遊技媒体を所定の単価で貸し出すものであり、具体的には、パチンコ玉を貸し出す玉貸機や、メダルを貸し出すメダル貸機で構成されている。遊技媒体貸出機３には、外部端子板が設けられており、ここから遊技媒体の貸出個数又は貸出金額を示す売上信号が出力される。そして、これらの信号は、ホールコンピュータ６において集計される。
また、遊技媒体貸出機３は、投入された現金を一時的に収納する金庫と、金庫を開閉する扉を備えている。この扉の開閉は、セキュリティ管理装置７が管理しており、セキュリティ管理装置７から所定の解錠信号を受信した場合に、扉の施錠装置が解錠され、扉の開放操作が許可される。
【００１６】
島金庫４は、紙幣搬送装置などを介して、複数の遊技媒体貸出機３から収集される現金を収納するように構成されている。島金庫４は、施錠装置を備えた扉を有しており、この扉を開放することにより、収納された現金の取り出しが可能になる。この扉の開閉は、セキュリティ管理装置７が管理しており、セキュリティ管理装置７から所定の解錠信号を受信した場合に、扉の施錠装置が解錠され、扉の開放操作が許可される。
【００１７】
計数機５は、遊技で獲得した遊技媒体を計数する機能と、計数値を所定の記録媒体（レシート、磁気カード、ＩＣカードなど）に記録する機能と、計数値を表示する機能と、所定の遊技台１の出玉情報を表示する機能とを備えている。この出玉情報の表示制御は、セキュリティ管理装置７で管理されており、ホールコンピュータ６で集計され、セキュリティ管理装置７を介して受信した出玉情報が表示部（液晶ディスプレイなど）に表示される。
【００１８】
ホールコンピュータ６は、コンピュータを用いて構成されており、遊技台１や遊技媒体貸出機３から収集した信号を集計し、その表示や保存を行う。
具体的には、各遊技台１における累計大当り回数、累計スタート回数、出玉値（出玉情報）などを集計しており、出玉値は、計数機５における出玉確認に利用される。
なお、パチンコ機の出玉値は、「遊技媒体貸出個数＋セーフ数−アウト数」で求めることができ、また、スロットマシンの出玉値は、「遊技媒体貸出個数＋メダル払出数−メダル投入数」で求めることができる。
【００１９】
セキュリティ管理装置７は、コンピュータを用いて構成されており、端末装置１０からの要求に応じて、各遊技装置の制御を行う。
具体的に説明すると、セキュリティ管理装置７は、各端末装置１０の端末ＩＤや各遊技装置の装置ＩＤを予め登録するＩＤ登録手段と、端末装置１０から信号が送信された際に、予め記憶された端末ＩＤと、端末装置１０から送信される端末ＩＤを照合し、両者が一致したときに、端末装置１０から送信された装置ＩＤで特定される遊技装置を制御するＩＤ照合手段とを有する。
【００２０】
また、セキュリティ管理装置７は、端末装置１０との間で、所定の暗号情報に基づいて、送受する信号を認証する信号認証手段を備えることが好ましい。このようにすることで、第三者による信号の解読が困難になるので、信号を複製したり、信号の一部を改ざんするような不正行為も確実に防止することができる。
さらに、セキュリティ管理装置７は、各遊技装置に所定の動作を要求する要求信号が端末装置１０から送信される毎に、暗号情報を新たに生成する暗号情報生成手段を備えることが好ましい。このようにすることで、第三者による信号の解読をより困難にし、セキュリティの更なる向上が図れる。
【００２１】
セキュリティ管理装置７には、各制御装置の具体的な制御パターンが、遊技装置の種類毎に予め登録されている。
例えば、装置ＩＤで特定される遊技装置が、遊技媒体貸出機３に投入された現金を収納する金庫（遊技媒体貸出機３及び島金庫４を含む）である場合には、金庫の扉を開放させることができる。
また、装置ＩＤで特定される遊技装置が、遊技媒体を用いて遊技する遊技台１と、遊技で獲得した遊技媒体を計数する計数機５との組み合わせである場合には、その計数機５に、ホールコンピュータ６が管理する前記遊技台１の出玉情報を表示させることができる。
【００２２】
図２は、端末装置の操作状態を示す説明図、図３は、端末装置の構成を示すブロック図、図４は、揺動操作の変換例を示す説明図、図５は、端末ＩＤの構成例を示す説明図である。
図２に示される端末装置１０は、店員に携行されるとともに、セキュリティ管理装置７と無線通信可能に接続されるリモコン形態の無線通信端末であり、端末ＩＤと制御を要求する遊技装置の装置ＩＤを、無線ターミナル９に送信可能に構成されている。
これにより、これらの端末ＩＤと装置ＩＤが無線ターミナル９に接続されているセキュリティ管理装置７に送信され、セキュリティ管理装置７が、装置ＩＤで特定される遊技装置に対して所定の動作を要求することで、当該遊技装置を制御するようになっている。
【００２３】
図３に示すように、端末装置１０は、操作部１１と、表示部１２と、記憶部（固有ＩＤ記憶手段）１３と、無線通信部１４と、人体通信部１５と、加速度検出部（揺動検出部）１６と、読取部（読取手段）１７、制御部１８とを備えて構成されている。
操作部１１は、要求コード、端末ＩＤ、装置ＩＤなどを入力可能なテンキーや、信号の送信を指示する送信ボタンを備えている。
表示部１２は、入力文字や認証結果を表示可能な表示デバイスを備えている。
【００２４】
また、無線通信部１４は、無線ターミナル９を介してセキュリティ管理装置７と無線通信を行う無線通信デバイスであり、例えば、ＩＥＥＥ８０２．１５．４（ＺｉｇＢｅｅ）の規格に適合した無線通信ネットワーク機器を用いて構成される。
この種のネットワーク機器は、ハードウェア固有の物理アドレスであるＭＡＣアドレスを記憶し、このＭＡＣアドレスで各ネットワーク機器の識別を行っている。
記憶部１３は、ＭＡＣアドレスや、セキュリティ管理装置７から受信した暗号キー（暗号情報）などを記憶する。
【００２５】
人体通信部１５は、人体通信技術を用いて、店員に携行される端末ＩＤ送信装置１９とデータ通信を行う。
人体通信とは、人体の表面電界を利用する通信技術であり、送信側は、データ信号を微弱な交流電界に変換して人体の表面に誘起し、受信側は、この電界を検出してデータ信号に変換することにより、データ通信が可能となる。
本実施形態の端末ＩＤ送信装置１９は、特に図示しないが、ＩＣカードを挿入する挿入部と、ＩＣカードからカードＩＤを読み取るカードＩＤ読取手段と、人体を介して、カードＩＤを端末装置１０に入力する人体通信手段とを備えている。
【００２６】
加速度検出部１６は、端末装置１０が揺動操作されたことを検出するためのもので、例えば、Ｘ軸方向、Ｙ軸方向及びＺ軸方向の加速度を検出する３軸加速度センサを用いて構成される。
読取部１７は、各遊技装置に付与された装置ＩＤを読み取るためのもので、例えば、各遊技装置にＱＲコードを用いて装置ＩＤを付与する場合、読取部１７はＱＲコードリーダを用いて構成され、また、各遊技装置にＩＣタグを用いて装置ＩＤを付与する場合、読取部１７はＩＣタグリーダを用いて構成される。
【００２７】
制御部１８は、各遊技装置を特定可能な装置ＩＤと当該端末装置１０を特定可能な端末ＩＤをセキュリティ管理装置７に送信するＩＤ送信手段と、端末ＩＤの全部又は一部を外部から入力する端末ＩＤ入力手段とを備えている。
端末ＩＤ入力手段は、操作部１１からの手入力データを端末ＩＤの全部又は一部とすることも可能であるが、店員に携行される端末ＩＤ送信装置１９からの送信データを端末ＩＤの全部又は一部とすることが好ましい。その理由は、各遊技装置に所定の動作を要求する毎に、端末ＩＤの全部又は一部を手入力する必要がなくなり、店員の操作負担が軽減されるからである。
【００２８】
端末ＩＤ送信装置１９は、予め記憶された端末ＩＤの全部又は一部（カードＩＤ）を、人体通信を用いて端末装置１０に入力することが好ましい。その理由は、人体から離れた状態における端末装置１０の操作が無効になり、紛失や盗難に伴う端末装置１０の不正使用を確実に防止することができるからである。
なお、端末ＩＤ送信装置１９と端末装置１０との通信は、人体通信に限定されず、様々な通信方式を適用することができる。
【００２９】
また、端末ＩＤ入力手段は、当該端末装置１０が揺動操作されたことを検出し、検出された特定の揺動操作を端末ＩＤに変換するＩＤ復号部を備えることができる。例えば、図４に示すように、端末装置１０を左から右へ揺動する操作が１回行われると「１」、２回行われると「２」、３回行われると「３」に変換するといった変換ルールを予め定めることにより、端末装置１０の揺動操作を端末ＩＤに変換することが可能になる。このようにすると、端末装置１０の揺動操作で端末ＩＤの全部又は一部を入力できるので、端末ＩＤをキー入力する場合に比べ、店員の操作負担を軽減することができる。
【００３０】
また、ＩＤ復号部は、他のデータの入力に利用してもよい。例えば、検出された特定の揺動操作を装置ＩＤに変換する。このようにすると、端末装置１０の揺動操作で装置ＩＤを入力できるので、装置ＩＤをキー入力する場合に比べ、店員の操作負担を軽減することができる。
【００３１】
制御部１８は、セキュリティ管理装置７に端末ＩＤを送信する際、無線通信部１４に記憶された固有ＩＤ（ＭＡＣアドレス）を端末ＩＤに含めて送信することが好ましい。例えば、図５に示すように、端末ＩＤとして固有ＩＤ及びカードＩＤを送信する。このようにすると、複製が困難な固有ＩＤを端末ＩＤに含めることにより、複製された端末装置１０の不正使用を確実に防止することができる。
そして、セキュリティ管理装置７側では、このような端末ＩＤを予めリモコン番号、所有者名、管理区分などと関連付けて記憶することにより、受信した端末ＩＤに基づいて、端末装置１０を認証できるだけでなく、リモコン番号、所有者名、管理区分などを特定することが可能になる。
【００３２】
つぎに、端末装置１０の操作方法について、図６を参照して説明する。
図６は、端末装置１０から送信される動作要求信号の構成例を示す説明図である。
店員は、遊技装置に所定の動作を要求する場合、端末装置１０及び端末ＩＤ送信装置１９を携行するとともに、端末装置１０において所定の開始操作（例えば、送信ボタンを押す）を行う。
この操作を検知した端末装置１０は、セキュリティ管理装置７に端末ＩＤ（固有ＩＤとカードＩＤ）を送信し、認証を待つ。
店員は、認証が完了した後、セキュリティ管理装置７に動作要求信号を送信する。
【００３３】
例えば、遊技媒体貸出機３が備える金庫の扉を開く場合は、その動作を特定するコード「００１」と、遊技媒体貸出機３の装置ＩＤ（遊技媒体貸出機３に対応する遊技台１の台番号）を入力して、セキュリティ管理装置７に送信する。ここで、装置ＩＤの入力方法は、キー入力、ＱＲコード入力、端末揺動操作などから任意に選択することができる。
セキュリティ管理装置７は、このような動作要求信号を受信すると、装置ＩＤによって特定される遊技媒体貸出機３に動作要求信号を送信し、金庫の扉を開放させる。
【００３４】
また、遊技台１の枠を開く場合は、その動作を特定するコード「００２」と、遊技台１の装置ＩＤ（遊技台１の台番号）を入力して、セキュリティ管理装置７に送信する。
セキュリティ管理装置７は、このような動作要求信号を受信すると、装置ＩＤによって特定される遊技台１に動作要求信号を送信し、枠を開放させる。
【００３５】
また、計数機５に所定の遊技台１の出玉情報を表示させる場合は、その動作を特定するコード「００３」と、計数機５の装置ＩＤと、遊技台１の装置ＩＤを入力して、セキュリティ管理装置７に送信する。
セキュリティ管理装置７は、このような動作要求信号を受信すると、装置ＩＤによって特定される遊技台１の出玉情報をホールコンピュータ６から取得するとともに、装置ＩＤによって特定される計数機５に対して、動作要求信号と出玉情報を送信し、計数機５の表示部に前記遊技台１の出玉情報を表示させる。
【００３６】
また、呼出ランプ２を消灯させる場合は、その動作を特定するコード「００４」と、呼出ランプ２の装置ＩＤ（呼出ランプ２に対応する遊技台１の台番号）を入力して、セキュリティ管理装置７に送信する。
セキュリティ管理装置７は、このような動作要求信号を受信すると、装置ＩＤによって特定される呼出ランプ２に動作要求信号を送信し、ランプを消灯させる。
【００３７】
また、島金庫４の扉を開く場合は、その動作を特定するコード「００５」と、島金庫４の装置ＩＤを入力して、セキュリティ管理装置７に送信する。
セキュリティ管理装置７は、このような動作要求信号を受信すると、装置ＩＤによって特定される島金庫４に動作要求信号を送信し、金庫の扉を開放させる。
【００３８】
つぎに、遊技場管理システムの処理手順について、図７と図８を参照して説明する。
図７と図８は、遊技場管理システムの処理手順を示すフローチャートである。
これらの図に示すように、端末装置１０において所定の開始操作が行われると、端末装置１０は、セキュリティ管理装置７に開始信号を送信するとともに（Ｓ１０１、Ｓ１０２）、接続が確立されている状態を示す認証フラグがセットされているか否かを判断する（Ｓ１０３、Ｓ１０４）。端末装置１０は、認証フラグがセットされていないと判断すると、端末ＩＤ送信装置１９からカードＩＤを取得するとともに（Ｓ１０５：端末ＩＤ入力手段）、端末ＩＤとしてカードＩＤと固有ＩＤ（ＭＡＣアドレス）をセキュリティ管理装置７に送信する（Ｓ１０６：ＩＤ送信手段）。
【００３９】
セキュリティ管理装置７は、端末ＩＤを受信すると（Ｓ１０７）、その端末ＩＤが登録されているものと一致するか否かを判断し（Ｓ１０８：ＩＤ照合手段）、ここで、一致しないと判断した場合は、端末装置１０に対して未承認信号を送信し（Ｓ１０９、Ｓ１１０）、端末装置１０による動作要求を拒否する。
また、セキュリティ管理装置７は、端末ＩＤが登録されているものと一致すると判断した場合、認証フラグをセットする（Ｓ１１１）。一方、端末装置１０は、未承認信号を所定時間内に受信しないときに、認証フラグをセットする（Ｓ１１２）。これにより、接続が相互に確立する。
そして、セキュリティ管理装置７は、暗号キーを生成し（Ｓ１１３：暗号情報生成手段）、これを端末装置１０に送信する（Ｓ１１４、Ｓ１１５）。
【００４０】
ここで、店員は、端末装置１０に対し、図６に示すような動作要求信号を入力する。図８に示すように、端末装置１０は、動作要求信号が入力されると、これを暗号キーで符号化（暗号化）した後、セキュリティ管理装置７に送信する（Ｓ１１６）。
セキュリティ管理装置７は、動作要求信号を受信すると（Ｓ１１７）、暗号キーで復号化処理した後（Ｓ１１８）、正規の要求信号であるか否かを判断する（Ｓ１１９：信号認証手段）。セキュリティ管理装置７は、正規の要求信号ではないと判断すると、ステップＳ１１３に戻って暗号キーの生成からやり直す一方、正規の要求信号であると判断すると、装置ＩＤから特定される遊技装置に制御信号を送信する（Ｓ１２０）。
なお、暗号化は、動作要求信号を含む通信データを暗号キーと所定の演算（例えば、ＸＯＲ演算）を行い符号化したり、暗号キーが指定する通信データの特定のビットを入替えて符号化するなど、種々の手法を採用することができる。
【００４１】
遊技装置は、セキュリティ管理装置７から制御信号を受信すると（Ｓ１２１）、制御信号で要求される動作処理を実行した後（Ｓ１２２）、動作完了信号をセキュリティ管理装置７に送信する（Ｓ１２３）。セキュリティ管理装置７は、遊技装置から動作完了信号を受信すると（Ｓ１２４）、端末装置１０に制御完了信号を送信し（Ｓ１２５、Ｓ１２６）、この信号を端末装置１０が受信した段階で一回の動作要求に係る処理が完了する。また、一連の処理が完了した後は、端末装置１０及びセキュリティ管理装置７において、認証時間の経過を判断するとともに（Ｓ１２７、Ｓ１２８）、認証時間が経過した時点で認証フラグをクリアする（Ｓ１２９、Ｓ１３０）。
これにより、再び認証フラグをセットして、接続を確立させた後には、新たな暗号キーにもとづいて上記のやり取りを行うことになることから、セキュリティを向上させることができる。
【００４２】
以上のように構成された本実施形態によれば、遊技場の複数箇所に設置された所定の遊技装置を管理する遊技場管理システムにおいて、各遊技装置と通信可能に接続され、各遊技装置を制御するセキュリティ管理装置７と、店員に携行されるとともに、セキュリティ管理装置７と無線通信可能に接続して、各遊技装置に対して所定の動作を要求する端末装置１０と、を備え、端末装置１０は、各遊技装置を特定可能な装置ＩＤと当該端末装置を特定可能な端末ＩＤをセキュリティ管理装置７に送信するにあたり、端末ＩＤの全部又は一部を外部から入力し、セキュリティ管理装置７は、予め記憶された端末ＩＤと、端末装置１０から送信される端末ＩＤを照合して一致したときに、装置ＩＤで特定される遊技装置を制御するように構成される。
【００４３】
このようにすると、端末装置１０は、無線通信可能に接続されるセキュリティ管理装置７を介して、各遊技装置に所定の動作を要求するので、各遊技装置にリモコン受信部を設ける必要がなくなり、その結果、安価なシステムの構築が可能になるだけでなく、任意の場所で端末装置１０の操作が行えるようになる。
【００４４】
また、セキュリティ管理装置７は、予め記憶された端末ＩＤと、端末装置１０から送信される端末ＩＤを照合して一致したときに、装置ＩＤで特定される遊技装置を制御するのであるが、端末装置１０においては、端末ＩＤの全部又は一部が外部から入力されるようになっているので、端末ＩＤの全部又は一部を知らない第三者の操作は無効とすることができ、その結果、複製、紛失、盗難などに伴う端末装置の不正使用を確実に防止できる。
【００４５】
また、遊技場管理システムは、店員に携行されるとともに、端末装置１０と通信可能に接続され、予め記憶された端末ＩＤの全部又は一部を端末装置１０に入力する端末ＩＤ送信装置１９を備えるので、各遊技装置に所定の動作を要求する毎に、端末ＩＤの全部又は一部を手入力する必要がなくなり、店員の操作負担を軽減することができる。
【００４６】
また、端末ＩＤ送信装置１９は、予め記憶された端末ＩＤの全部又は一部を、人体を介して、端末装置１０に入力するので、端末装置１０は、人体から離れた状態での操作が無効になり、その結果、紛失や盗難に伴う端末装置１０の不正使用をより確実に防止することができる。
【００４７】
また、端末装置１０は、揺動操作されたことを検出し、検出された特定の揺動操作を端末ＩＤに変換することができるので、端末ＩＤをキー入力する場合に比べ、店員の操作負担を軽減することができる。
【００４８】
また、端末装置１０は、検出された特定の揺動操作を装置ＩＤに変換することができるので、装置ＩＤをキー入力する場合に比べ、店員の操作負担を軽減することができる。
【００４９】
また、端末装置１０は、各遊技装置に付与された装置ＩＤ（ＱＲコード、ＩＣタグなど）を読み取ることができるので、装置ＩＤをキー入力する場合に比べ、店員の操作負担を軽減することができる。
【００５０】
また、端末装置１０は、所定の固有ＩＤを記憶し、この固有ＩＤを端末ＩＤに含めて送信するので、複製が困難な固有ＩＤを端末ＩＤに含めることにより、複製された端末装置１０の不正使用を確実に防止することができる。
【００５１】
また、端末装置１０とセキュリティ管理装置７は、所定の暗号情報（暗号キー）に基づいて、送受する信号を認証するので、第三者による信号の解読が困難になり、その結果、信号を複製したり、信号の一部を改ざんするような不正行為も確実に防止することができる。
【００５２】
また、セキュリティ管理装置７は、各遊技装置に所定の動作を要求する要求信号が端末装置１０から送信される毎に、暗号情報を新たに生成するので、第三者による信号の解読をより困難にし、セキュリティの更なる向上が図れる。
【００５３】
また、セキュリティ管理装置７は、装置ＩＤで特定される遊技装置が、遊技媒体貸出機３に投入された現金を収納する金庫である場合に、金庫の扉を開放させるので、金庫の扉開閉管理に本発明を適用し、金庫のセキュリティを向上させることができる。
【００５４】
また、セキュリティ管理装置７は、装置ＩＤで特定される遊技装置が、遊技媒体を用いて遊技する遊技台１と、遊技で獲得した遊技媒体を計数する計数機５との組み合わせである場合に、計数機５に、ホールコンピュータ６が管理する前記遊技台１の出玉情報を表示させるので、計数機５に遊技媒体を運ぶ前に端末装置１０を操作し、遊技台番号と計数機番号をセキュリティ管理装置７に送信すれば、計数機５の前で端末装置１０を操作しなくても、計数機５に遊技台１の出玉情報が表示され、出玉照合を行うことが可能になり、その結果、端末装置１０の操作で遊技客に不快感を与える可能性が低減される。
【００５５】
以上、本発明について、好ましい実施形態を示して説明したが、本発明は、上述した実施形態にのみ限定されるものではなく、特許請求の範囲内で種々の変更が可能であることは言うまでもない。
例えば、本実施形態では、セキュリティ管理装置が本発明の管理装置として機能したが、ホールコンピュータを管理装置としてもよい。
また、本発明の端末装置を、ＳＩＭカードを挿抜可能な携帯電話とすることもできる。ＳＩＭカードには固有のＩＤが付与されているため、この固有のＩＤを外部から入力され、当該携帯電話を特定可能な端末ＩＤとすることもできる。
【産業上の利用可能性】
【００５６】
本発明は、遊技場の複数箇所に設置された所定の遊技装置（遊技台、遊技媒体貸出機、呼出ランプ、島金庫、計数機など）を管理する遊技場管理システムに適用できる。
【符号の説明】
【００５７】
１  遊技台
２  呼出ランプ
３  遊技媒体貸出機
４  島金庫
５  計数機
６  ホールコンピュータ
７  セキュリティ管理装置
８  ネットワーク
９  無線ターミナル
１０  端末装置
１１  操作部
１２  表示部
１３  記憶部
１４  無線通信部
１５  人体通信部
１６  加速度検出部
１７  読取部
１８  制御部
１９  端末ＩＤ送信装置
【図１】
2010233876.tif 000003
【図２】
2010233876.tif 000004
【図３】
2010233876.tif 000005
【図４】
2010233876.tif 000006
【図５】
2010233876.tif 000007
【図６】
2010233876.tif 000008
【図７】
2010233876.tif 000009
【図８】
2010233876.tif 000010